(57)【要約】【課題】農産物等の収容物を移載するためにコンテナを横向きに傾転させた場合にも前面パネルのロックが解除される事態を確実に防止することで安全性を確保し、またコンテナの破損も防止できるコンテナ用ロック装置を提供する。【解決手段】メッシュコンテナを構成する左、右の側面パネル７にはロック装置１１を構成する係止部１２が、前面パネル５側に突出するように設けてある。前面パネル５には係止部１２に係脱する係合材１５が横方向にスライド可能に設けてあり、係合材１５には押動操作材１６が突設してある。押動操作材１６は前面パネル５に対して起伏可能であり、前面パネル５に固着した磁性固定部１７に磁着させることにより固定可能になっている。【選択図】図５
0003164913.tif 000002
【実用新案登録請求の範囲】
【請求項１】
コンテナを構成する左、右の側面パネルに設けられ、前面パネル側に突出する係止部と、記前面パネルに横方向にスライドして該係止部に係脱する係合材を設け、該係合材に押動操作材を設けてなるロック機構部とから構成し、前記押動操作材は前記前面パネルに設けた磁性固定部に磁着させることにより固定可能にしてあることを特徴とするコンテナ用ロック装置。
【請求項２】
前記押動操作材は、前記前面パネルに対して起伏可能に回動する構成にしてあることを特徴とする請求項１記載のコンテナ用ロック装置。
【請求項３】
少なくとも前記前面パネル及び左、右側面パネルは、棒鋼を縦横に結合してメッシュ状に形成したものであることを特徴とする請求項１記載のコンテナ用ロック装置。
【請求項４】
前記コンテナは、前、後面パネル及び側面パネルが底面パネル側に折畳み可能に構成してある請求項１記載のコンテナ用ロック装置。
【考案の詳細な説明】
【技術分野】
【０００１】
本考案は、野菜、豆類等の農産物を収納して保管し或いは搬送するコンテナの使用上の安全性を高めるコンテナ用ロック装置に関する。
【背景技術】
【０００２】
近年、棒鋼を縦横に結合して形成したメッシュ状の５枚のパネルによって箱型に構成し、側面パネル同士を係脱可能に連結して底面パネル上に折畳めるようにした折畳み型のメッシュコンテナが、通気性、運搬性、非使用時の格納性に優れていることから多く使用されている。そして、折畳み型メッシュコンテナは、収納物の出し入れのために前面パネルが側面パネルに閂式のロック手段によって係合する構成にして開閉可能にしてある。
【先行技術文献】
【特許文献】
【０００３】
【特許文献１】特に見出せず。
【考案の概要】
【考案が解決しようとする課題】
【０００４】
従来のコンテナは、前面パネルを側面パネルに閂式ロック手段を用いて係合しているが、収穫した農産物等の収納物を例えば施設内の貯蔵庫に移載するために回転フォークリフトでコンテナを横方向に傾転させながら斜め下向きに反転させた場合、閂が自重によってスライドして側面パネルとの係合が外れ、ロックが解除した状態になる。
このため、前面パネルが運搬中に不用意に開く、或いはロック解除状態に気付かずに農産物を収容して前面パネルが破損するという事態が生じている。そこで、閂を紐で側面パネルに緊締する対処法が採られているが、紐の緩みや、緊締忘れによって前面パネルが開いてしまうという事態も起きており、完全な安全対処法にはならないという問題がある。
【０００５】
本考案は上述した従来技術の欠点に鑑みなされたもので、農産物等の収容物を移載するためにコンテナを横向きに傾転させた場合にもロックが解除される事態を確実に防止することで安全性を確保し、またコンテナの破損も防止できるコンテナ用ロック装置を提供することを目的とする。
【課題を解決するための手段】
【０００６】
上述した課題を解決するために構成した本考案の手段は、コンテナを構成する左、右の側面パネルに設けられ、前面パネル側に突出する係止部と、記前面パネルに横方向にスライドして該係止部に係脱する係合材を設け、該係合材に押動操作材を設けてなるロック機構部とから構成し、前記押動操作材は前記前面パネルに設けた磁性固定部に磁着させることにより固定可能にしたことにある。
【０００７】
そして、前記押動操作材は、前記前面パネルに対して起伏可能に回動する構成にするとよい。
【０００８】
また、少なくとも前記前面パネル及び左、右側面パネルは、棒鋼を縦横に結合してメッシュ状に形成したものにするとよい。
【０００９】
更に、前記コンテナは、前、後面パネル及び側面パネルが底面パネル側に折畳み可能にするとよい。
【考案の効果】
【００１０】
本考案は、上述の如く構成したから、下記の諸効果を奏する。
（１）前面パネル側に突出する係止部をコンテナの側面パネルに設け、横方向にスライドして係止部に係脱する係合材を前面パネルに設け、係合材に設けた押動操作材は前面パネルに設けた磁性固定部に磁着させて固定する構成にしたから、コンテナを傾転させながら下向きの状態にしても係合材が係止部から離脱して前面パネルが不用意に開く事態を確実に防止できるので、作業上の安全性を確保し、またコンテナの破損を防止できる。
（２）押動操作材は前面パネルに対して起伏可能に回動する構成にしたから、手で掴んで操作する操作性に優れているし、磁性固定部に確実に磁着することができる。
（３）少なくとも前面パネル及び左、右側面パネルは、棒鋼を縦横に結合してメッシュ状に形成したものにすることにより、コンテナ内の通気性を確保し、全体の軽量化を図ることができるし、ロック装置に掛る負荷を小さくできる。
（４）コンテナは、前、後面パネル及び側面パネルが底面パネル側に折畳み可能な構成にした場合に、ロック装置を用いることで前面パネルと側面パネルの係脱を容易に行うことができ、折畳み作業も能率的に行うことができる。
【図面の簡単な説明】
【００１１】
【図１】メッシュコンテナの正面図である。
【図２】メッシュコンテナの部分拡大図である。
【図３】ロック装置の解除状態を示す説明図である。
【図４】ロック装置のロック操作途中を示す説明図である。
【図５】ロック装置がロックした状態の説明図である。
【考案を実施するための形態】
【００１２】
以下、本考案の実施の形態を図面に基づき説明する。図において、１は折畳み型のメッシュコンテナを示し、該メッシュコンテナ１はフォークリフトのフォークが挿脱可能な架台２と、該架台２上に固着したコンテナ本体３とから構成してある。コンテナ本体３は架台２上に設けた四角形の底面パネル４、該底面パネル４の４辺に起立する前面パネル５、後面パネル６（但し、図示せず）、左、右の側面パネル７、７からなり、これらパネル４乃至７はコイル状の連結材８によって底面パネル３に回動可能に連結してある。また、後面パネル６と左、右の側面パネル７、７は側縁が係脱可能に連結してあり、底面パネル４上に折畳み可能になっている。ここで、上記各パネル４乃至７は棒鋼を縦横に結合してメッシュ状に形成することにより、コンテナ１の軽量化と通気性が図られている。
【００１３】
また、前面パネル５は横幅方向両端５Ａ、５Ａを左、右側面パネル７、７の側縁側７Ａ、７Ａに後述するロック手段１１で係脱可能に連結することにより、前面パネル５は収容物の出し入れを容易にするために開閉可能に、かつ底面パネル４上に折畳み可能になっている。
【００１４】
１１、１１、・・・は前面パネル５を左、右側面パネル７、７に複数個所で係脱可能に係止するロック装置を示す。１２は該各ロック装置１１を構成する係止部で、該係止部１２は棒鋼を略Ｕ字状に屈曲形成したものからなり、左、右側面パネル７、７の外縁側に前方に向けて突設してある。なお、係止部１２は側面パネル７を構成する棒鋼を略Ｕ字状に屈曲形成することにより、側面パネル７と一体の構成にしてもよい。
【００１５】
１３は前面パネル５に設けたロック機構部を示す。１４は該ロック機構部１３を構成し、前面パネル５に溶接により固着した支持材で、該支持材１４は棒鋼を略冂状に屈曲形成し、縦棒１４Ａ、１４Ａの上端側は外側に突出する略半円状の膨出部１４Ｂに形成してある（図３乃至図５参照）。１５は前面パネル５と該膨出部１４Ｂとの間に横方向に摺動可能に挿装した棒鋼からなる係合材で、該係合材１５は先端側１５Ａが前記係止部１２に挿脱することにより、前面パネル５に係止部１２が係脱し、前面パネル５と側面パネル７が接離可能に連結するようになっている。
【００１６】
１６は前記係合材１５に固着した押動操作材である。該押動操作材１６は棒鋼からなる把持部１６Ａの両端をＬ字状に屈曲して一対の接続部１６Ｂ、１６Ｂを形成した略凵字状をなしている。そして、押動操作材１６は接続部１６Ｂを係合材１５と十字状に交差した状態で固着してあり、その先端側１６Ｃは係合材１５の他側に突出することで、倒伏状態では前面パネル５に係止して横方向に変位不能になっている。また、接続部１６Ｂ、１６Ｂは下端側を前面パネル５側に略Ｌ字状に屈曲形成してあり、開閉操作の時に把持部１６Ａを手で掴み易くしてある。かくして、ロック装置１１は、係止部１２とロック機構部１３とから構成してあり、ロック機構部１３は支持材１４、係合材１５及び押動操作材１６から構成してある。
【００１７】
更に、１７は前記押動操作材１６を磁着させて固定するための磁性固定部を示す。該磁性固定部１７は前面パネル５に固着した非磁性材からなる取付板１７Ａと、該取付板１７Ａに固着した永久磁石からなる磁石板１７Ｂとから構成してあり、磁石板１７Ｂに磁着した押動操作材１６は固定された状態になる。
【００１８】
本実施の形態は上述の構成からなるもので、以下にその作動について説明する。図３はロック装置１１を解除した状態を示し、係合材１５は矢示イ方向に変位して係止部１２から離間した状態にある。これにより、前面パネル５は側面パネル７から離間可能、即ち開放可能な状態になっている。図４はロック装置１１が前面パネル５を側面パネル７に係合する状態を示し、図３に示す状態の押動操作材１６は把持部１６Ａを持って矢示ロ方向に引き上げた後、矢示ハ方向に押動することにより、係合材１５の先端側１５Ａが係合部１２に侵入する。しかる後、押動操作材１６は、把持部１６Ａを持って矢示ニ方向に回転して倒伏させることにより磁石板１７Ｂに磁着させる。
【００１９】
かくして、収容物を移載するためにメッシュコンテナ１を横方向に傾転させて下向きの状態にしても、押動操作材１６は磁石板１７Ａにより前面パネル５側に固定されているから、前面パネル５から起き上がって係合材１５が横方向に変位することがなく、前面パネル５が開放するのを確実に防止できる。
【００２０】
なお、本実施の形態はメッシュコンテナを例に挙げたが、本考案は前面パネルが開閉するタイプの他のコンテナにも用いることができるものである。
【符号の説明】
【００２１】
１      メッシュコンテナ
４      底面パネル
５      前面パネル
６      後面パネル
７      側面パネル
１１    ロック装置
１２    係止部
１３    ロック機構部
１４    支持材
１５    係合材
１６    押動操作材
１７    磁性固定部
【図１】
0003164913.tif 000003
【図２】
0003164913.tif 000004
【図３】
0003164913.tif 000005
【図４】
0003164913.tif 000006
【図５】
0003164913.tif 000007